(57)【特許請求の範囲】
【請求項１】
外装ケース(20)、(40)と、この外装ケース(20)、(40)に収納している二次電池(1)と、前記外装ケース(20)、(40)に収納されて二次電池(1)を外部入力電力で充電する主充電回路(2)と、前記外装ケース(20)、(40)に設けられて主充電回路(2)に外部入力電力を供給するＡＣアダプタ(19)の外部入力端子(5)と、前記外装ケース(20)、(40)から外部に引き出されるように連結されて内蔵電池(9A)を備える第１の携帯機器(8A)に脱着自在に接続されるプラグコード(6)と、このプラグコード(6)を介して外部入力電力と二次電池(1)とを切り換えて第１の携帯機器(8A)の内蔵電池(9A)を充電する第１の充電回路(3)と、前記外装ケース(20)、(40)に設けているＵＳＢコネクタ(7)と、このＵＳＢコネクタ(7)を介して外部入力電力と二次電池(1)とを切り換えてＵＳＢコネクタ(7)に接続される第２の携帯機器(8B)の内蔵電池(9B)を充電する第２の充電回路(4)と、第１の充電回路(3)と第２の充電回路(4)を制御して、第１と第２の携帯機器(8)の内蔵電池(9)の充電状態をコントロールするコントロール回路(10)とを備えており、
前記携帯機器(8)の内蔵電池(9)を、外部入力電力と二次電池(1)のいずれか又は両方で充電すると共に、前記外部入力端子(5)にＡＣアダプタ(19)の接続されない外部入力電力の非入力状態においては、二次電池(1)でもって、プラグコード(6)を介して第１の携帯機器(8A)の内蔵電池(9A)を充電し、さらに、ＵＳＢコネクタ(7)を介して第２の携帯機器(8B)の内蔵電池(9B)を充電するようにし、
前記外装ケース(40)が、表面に沿って摺動できるスライド蓋(42)を本体ケース(41)に連結しており、このスライド蓋(42)のオープン部(43)に、プラグコード(6)の収納部(44)を設けており、プラグコード(6)を収納部(44)に配設する状態で、スライド蓋(42)を閉じてプラグコード(6)をスライド蓋(42)の内部に収納するようにしており、
さらに、前記スライド蓋(42)は平面視において、外形を本体ケース(41)と同じ形状の四角形であって、前記プラグコード(6)が前記収納部(44)から引き出された状態で前記スライド蓋(42)を閉じることができるように、前記プラグコード(6)を外部に引き出す引出部(46)を、前記収納部(44)の端面を切欠して設けてなる充電器。
【請求項２】
前記外装ケース(20)が、プラグコード(6)を脱着自在に定位置に嵌着できる嵌着凹部(21)、(22)を表面に設けている請求項１に記載される充電器。
【請求項３】
前記本体ケース(41)が、前記プラグコード(6)を定位置に保持する保持リブ(45)を、前記収納部(44)の内側に突出して設けている請求項１に記載される充電器。
【請求項４】
前記コントロール回路(10)が二次電池(1)の残容量を検出する残容量検出回路(12)を備え、この残容量検出回路(12)で検出される残容量が設定容量よりも大きいことを検出して、二次電池(1)で携帯機器(8)の内蔵電池(9)を充電する請求項１に記載される充電器。
【請求項５】
前記コントロール回路(10)が切換回路(11)を備え、この切換回路(11)は、外部入力電力が入力される状態で携帯機器(8)が接続されると、二次電池(1)の充電を休止して、外部に接続される携帯機器(8)の内蔵電池(9)を充電する請求項１に記載される充電器。
【請求項６】
前記第１の携帯機器(8A)がプラグコード(6)で内蔵電池(9A)を充電する携帯電話で、第２の携帯機器(8B)がＵＳＢコネクタ(7)で内蔵電池(9B)を充電するＵＳＢ接続機器である請求項１に記載される充電器。
【請求項７】
前記第１の充電回路(3)が、外部入力電力と二次電池(1)の電力を第１の携帯機器(8A)の内蔵電池(9A)を充電する電圧、電流に変換して出力する電圧電流調整回路である請求項１に記載される充電器。
【請求項８】
前記第２の充電回路(4)が、外部入力電力と二次電池(1)の電力を第２の携帯機器(8B)の内蔵電池(9B)を充電する電圧、電流に変換して出力する電圧電流調整回路である請求項１に記載される充電器。
【請求項９】
前記コントロール回路(10)が、プラグコード(6)の第１の携帯機器(8A)への接続の有無を検出する接続検出回路(13)を備え、この接続検出回路(13)が第１の携帯機器(8A)の接続を検出して、第１の充電回路(3)で第１の携帯機器(8A)の内蔵電池(9A)を充電する請求項１に記載される充電器。
【請求項１０】
前記コントロール回路(10)に、第２の充電回路(4)の動作状態を外部から制御する信号をコントロール回路(10)に入力する操作スイッチ(15)を接続しており、この操作スイッチ(15)から信号が入力され、かつ接続検出回路(13)が第１の携帯機器(8A)の接続を検出しない状態で、第２の充電回路(4)が第２の携帯機器(8B)の内蔵電池(9B)を充電するようにしてなる請求項９に記載される充電器。
【請求項１１】
前記コントロール回路(10)が、プラグコード(6)の第１の携帯機器(8A)への接続の有無を検出する接続検出回路(13)を備えると共に、前記コントロール回路(10)に、第１の充電回路(3)の動作状態を外部から制御する信号をコントロール回路(10)に入力する操作スイッチ(15)を接続しており、この操作スイッチ(15)から信号が入力され、かつ接続検出回路(13)が第１の携帯機器(8A)の接続を検出する状態で、第１の充電回路(3)が第１の携帯機器(8A)の内蔵電池(9A)を充電するようにしてなる請求項１に記載される充電器。
【請求項１２】
前記コントロール回路(10)が、プラグコード(6)の第１の携帯機器(8A)への接続の有無を検出する接続検出回路(13)を備えると共に、前記コントロール回路(10)に、第１の充電回路(3)の動作状態を外部から制御する信号をコントロール回路(10)に入力する操作スイッチ(15)を接続しており、この操作スイッチ(15)から信号が入力され、かつ接続検出回路(13)が第１の携帯機器(8A)の接続を検出しない状態で、第２の充電回路(4)が第２の携帯機器(8B)の内蔵電池(9B)を充電するようにしてなる請求項１に記載される充電器。
【請求項１３】
前記プラグコード(6)の先端に固定しているプラグ(6B)が、外部入力端子(5)に接続されるプラグ(19B)と同じ形状である請求項１に記載される充電器。
【請求項１４】
外装ケース(20)、(40)と、この外装ケース(20)、(40)に収納している二次電池(1)と、前記外装ケース(20)、(40)に収納されて二次電池(1)を外部入力電力で充電する主充電回路(2)と、前記外装ケース(20)、(40)に設けられて主充電回路(2)に外部入力電力を供給するＡＣアダプタ(19)の外部入力端子(5)と、前記外装ケース(20)、(40)から外部に引き出されるように連結されて内蔵電池(9A)を備える第１の携帯機器(8A)に脱着自在に接続されるプラグコード(6)と、このプラグコード(6)を介して外部入力電力と二次電池(1)とを切り換えて第１の携帯機器(8A)の内蔵電池(9A)を充電する第１の充電回路(3)と、第１の充電回路(3)を制御して、第１の携帯機器(8A)の内蔵電池(9A)の充電状態をコントロールするコントロール回路(10)とを備えており、
前記第１の携帯機器(8A)の内蔵電池(9A)を、外部入力電力と二次電池(1)のいずれか又は両方で充電すると共に、前記外部入力端子(5)にＡＣアダプタ(19)の接続されない外部入力電力の非入力状態においては、二次電池(1)でもって、プラグコード(6)を介して第１の携帯機器(8A)の内蔵電池(9A)を充電するようにし、
前記外装ケース(40)が、表面に沿って摺動できるスライド蓋(42)を本体ケース(41)に連結しており、このスライド蓋(42)のオープン部(43)に、プラグコード(6)の収納部(44)を設けており、プラグコード(6)を収納部(44)に配設する状態で、スライド蓋(42)を閉じてプラグコード(6)をスライド蓋(42)の内部に収納するようにしており、
さらに、前記スライド蓋(42)は平面視において、外形を本体ケース(41)と同じ形状の四角形であって、前記プラグコード(6)が前記収納部(44)から引き出された状態で前記スライド蓋(42)を閉じることができるように、前記プラグコード(6)を外部に引き出す引出部(46)を、前記収納部(44)の端面を切欠して設けてなる充電器。
【発明の詳細な説明】
【技術分野】
【０００１】
本発明は、ＡＣアダプタ等の外部入力電力で充電される二次電池を外装ケースに内蔵して、この二次電池と外部入力電力の両方で外部に接続される携帯電話やＵＳＢ端子の電子機器に内蔵される電池を充電する充電器に関する。
【背景技術】
【０００２】
本出願人は、二次電池を内蔵する充電器を開発した。（特許文献１参照）
【特許文献１】特開２００３−１９９２６０号公報
【発明の開示】
【発明が解決しようとする課題】
【０００３】
特許文献１に記載する充電器は、外部から入力される電力と、内蔵する二次電池の両方で外部の電池を充電するので、外部入力電力のみで充電するのに比較して、短い時間で外部電池を充電できる。
【０００４】
ただ、以上の特許文献１の充電器は、単三電池や単四電池を脱着できるようにセットして、外部入力電力で外部電池を順番にパルス充電するのに加えて、さらに、内蔵する二次電池でも充電するので、パルス充電のみに比較して短い時間で外部電池を充電できる。この充電器は、外部電池として単三電池や単四電池等の複数の規格電池を順番に充電するので、携帯電話などに内蔵電池を入れた状態で充電できない。また、ＵＳＢコネクタを有する種々の携帯機器の内蔵電池も充電できない。
【０００５】
本発明は、この欠点を解決することを目的に開発されたものである。本発明の重要な目的は、プラグコードやＵＳＢコネクタで接続される種々の携帯機器の内蔵電池を携帯機器から取り出すことなく、また、外部電源に接続されない状態においても、種々の携帯機器の内蔵電池を充電できる充電器を提供することにある。
【課題を解決するための手段及び発明の効果】
【０００６】
本発明の充電器は、前述の目的を達成するために以下の構成を備える。
充電器は、外装ケース２０、４０と、この外装ケース２０、４０に収納している二次電池１と、外装ケース２０、４０に収納されて二次電池１を外部入力電力で充電する主充電回路２と、外装ケース２０、４０に設けられて主充電回路２に外部入力電力を供給するＡＣアダプタ１９の外部入力端子５と、外装ケース２０、４０から外部に引き出されるように連結されて内蔵電池９Ａを備える第１の携帯機器８Ａに脱着自在に接続されるプラグコード６と、このプラグコード６を介して外部入力電力と二次電池１とを切り換えて第１の携帯機器８Ａの内蔵電池９Ａを充電する第１の充電回路３と、外装ケース２０、４０に設けているＵＳＢコネクタ７と、このＵＳＢコネクタ７を介して外部入力電力と二次電池１とを切り換えてＵＳＢコネクタ７に接続される第２の携帯機器８Ｂの内蔵電池９Ｂを充電する第２の充電回路４と、第１の充電回路３と第２の充電回路４を制御して、第１と第２の携帯機器８の内蔵電池９の充電状態をコントロールするコントロール回路１０とを備えている。充電器は、携帯機器８の内蔵電池９を、外部入力電力と二次電池１のいずれか又は両方で充電すると共に、外部入力端子５にＡＣアダプタ１９の接続されない外部入力電力の非入力状態においては、二次電池１でもって、プラグコード６を介して第１の携帯機器８Ａの内蔵電池９Ａを充電し、さらに、ＵＳＢコネクタ７を介して第２の携帯機器８Ｂの内蔵電池９Ｂを充電する。
【０００７】
以上の充電器は、プラグコードやＵＳＢコネクタで接続される種々の携帯機器の内蔵電池を携帯機器から取り出すことなく、またＡＣアダプタ等の外部電源を接続しない状態においても種々の携帯機器の内蔵電池を充電できる。とくに、この充電器は、内蔵する二次電池でもって、プラグコードとＵＳＢコネクタのいずれかに接続できる携帯機器の内蔵電池を充電できるので、ＡＣアダプタを接続できない状態にあっても、プラグコードを接続できる携帯電話等と、ＵＳＢコネクタに接続できる全ての携帯機器の内蔵電池を充電して極めて便利に使用できる。
【０００８】
本発明の請求項２の充電器は、外装ケース２０が、プラグコード６を脱着自在に定位置に嵌着できる嵌着凹部２１、２２を表面に設けている。
この充電器は、使用されないプラグコードを脱着できるように定位置に嵌着できるので、すっきりと邪魔にならない状態に固定して便利に携帯できる。
【０００９】
本発明の充電器は、外装ケース４０が、表面に沿って摺動できるスライド蓋４２を本体ケース４１に連結しており、このスライド蓋４２のオープン部４３に、プラグコード６の収納部４４を設けており、プラグコード６を収納部４４に配設する状態で、スライド蓋４２を閉じてプラグコード６をスライド蓋４２の内部に収納しており、スライド蓋４２は平面視において、外形を本体ケース４１と同じ形状の四角形であって、プラグコード６が収納部４４から引き出された状態でスライド蓋４２を閉じることができるように、プラグコード６を外部に引き出す引出部４６を、収納部４４の端面を切欠して設けている。
この充電器は、使用されないプラグコードを、スライド蓋の内部に収納できるので、持ち運びするときにプラグコードが外部に表出されず、プラグコードを保護しながら邪魔にならない状態で持ち運びできる。
【００１０】
本発明の請求項４の充電器は、コントロール回路１０が、二次電池１の残容量を検出する残容量検出回路１２を備えており、この残容量検出回路１２で検出される残容量が設定容量よりも大きいことを検出して、二次電池１で携帯機器８の内蔵電池９を充電する。
この充電器は、二次電池の残容量を検出して携帯機器の内蔵電池を充電するので、二次電池を過放電することなく、これでもって外部に接続される携帯機器の内蔵電池を充電できる。
【００１１】
本発明の請求項５の充電器は、コントロール回路１０が切換回路１１を備えており、この切換回路１１は、外部入力電力が入力される状態で携帯機器８が接続されると、二次電池１の充電を休止して、外部に接続される携帯機器８の内蔵電池９を充電する。
この充電器は、ＡＣアダプタを接続して外部から電力が入力される状態では、外部に接続する携帯機器の内蔵電池を速やかに充電できる。
【００１２】
本発明の請求項６の充電器は、第１の携帯機器８Ａを、プラグコード６で内蔵電池９Ａを充電する携帯電話とし、第２の携帯機器８Ｂを、ＵＳＢコネクタ７で内蔵電池９Ｂを充電するＵＳＢ接続機器としている。
この充電器は、携帯電話とＵＳＢ接続機器の内蔵電池を、ＡＣアダプタから入力される電力と、二次電池の両方で充電できる。
【００１３】
本発明の請求項７の充電器は、第１の充電回路３を、外部入力電力と二次電池１の電力を第１の携帯機器８Ａの内蔵電池９Ａを充電する電圧、電流に変換して出力する電圧電流調整回路としている。この充電器は、第１の携帯機器の内蔵電池を最適な電圧で充電できる。
【００１４】
本発明の請求項８の充電器は、第２の充電回路４を、外部入力電力と二次電池１の電力を第２の携帯機器８Ｂの内蔵電池９Ｂを充電する電圧、電流に変換して出力する電圧電流調整回路としている。この充電器は、第２の携帯機器の内蔵電池を最適な電圧で充電できる。
【００１５】
本発明の請求項９の充電器は、コントロール回路１０が、プラグコード６の第１の携帯機器８Ａへの接続の有無を検出する接続検出回路１３を備えており、この接続検出回路１３が第１の携帯機器８Ａの接続を検出して、第１の充電回路３で第１の携帯機器８Ａの内蔵電池９Ａを充電する。
この充電器は、携帯電話などの第１の携帯機器が接続されると、接続された携帯機器の内蔵電池を自動的に充電できる。
【００１６】
本発明の請求項１０の充電器は、コントロール回路１０に、第２の充電回路４の動作状態を外部から制御する信号をコントロール回路１０に入力する操作スイッチ１５を接続している。この充電器は、操作スイッチ１５から信号が入力され、かつ接続検出回路１３が第１の携帯機器８Ａの接続を検出しない状態で、第２の充電回路４が第２の携帯機器８Ｂの内蔵電池９Ｂを充電する。
この充電器は、携帯機器の接続されない状態で無駄に電力を消費をしないようにしながら、操作スイッチから入力される信号で第２の携帯機器の接続状態を判別して、第２の携帯機器の内蔵電池を充電できる。
【００１７】
本発明の請求項１１の充電器は、コントロール回路１０が、プラグコード６の第１の携帯機器８Ａへの接続の有無を検出する接続検出回路１３を備えると共に、コントロール回路１０に、第１の充電回路３の動作状態を外部から制御する信号をコントロール回路１０に入力する操作スイッチ１５を接続している。この充電器は、操作スイッチ１５から信号が入力され、かつ接続検出回路１３が第１の携帯機器８Ａの接続を検出する状態で、第１の充電回路３が第１の携帯機器８Ａの内蔵電池９Ａを充電する。
この充電器は、携帯機器の接続されない状態で無駄に電力を消費をしないようにしながら、操作スイッチから入力される信号で第１の携帯機器の接続状態を判別して、第１の携帯機器の内蔵電池を充電できる。
【００１８】
本発明の請求項１２の充電器は、コントロール回路１０が、プラグコード６の第１の携帯機器８Ａへの接続の有無を検出する接続検出回路１３を備えると共に、コントロール回路１０に、第１の充電回路３の動作状態を外部から制御する信号をコントロール回路１０に入力する操作スイッチ１５を接続している。この充電器は、操作スイッチ１５から信号が入力され、かつ接続検出回路１３が第１の携帯機器８Ａの接続を検出しない状態で、第２の充電回路４が第２の携帯機器８Ｂの内蔵電池９Ｂを充電する。
この充電器は、携帯機器の接続されない状態で無駄に電力を消費をしないようにしながら、操作スイッチから入力される信号で第１の携帯機器の接続状態を判別して、第２の携帯機器の内蔵電池を充電できる。
【００１９】
本発明の請求項１３の充電器は、プラグコード６の先端に固定しているプラグ６Ｂを、外部入力端子５に接続されるプラグ１９Ｂと同じ形状としている。
この充電器は、第１の携帯機器に接続されるＡＣアダプタを充電器に接続して、内蔵する二次電池と第１の携帯機器の内蔵電池を充電でき、さらに、ＡＣアダプタを充電器に接続することなく、直接に第１の携帯機器に接続して内蔵電池を充電できる。
【００２０】
本発明の請求項１４の充電器は、前述の目的を達成するために以下の構成を備える。
充電器は、外装ケース２０、４０と、この外装ケース２０、４０に収納している二次電池１と、外装ケース２０、４０に収納されて二次電池１を外部入力電力で充電する主充電回路２と、外装ケース２０、４０に設けられて主充電回路２に外部入力電力を供給するＡＣアダプタ１９の外部入力端子５と、外装ケース２０、４０から外部に引き出されるように連結されて内蔵電池９Ａを備える第１の携帯機器８Ａに脱着自在に接続されるプラグコード６と、このプラグコード６を介して外部入力電力と二次電池１とを切り換えて第１の携帯機器８Ａの内蔵電池９Ａを充電する第１の充電回路３と、第１の充電回路３を制御して、第１の携帯機器８Ａの内蔵電池９Ａの充電状態をコントロールするコントロール回路１０とを備えている。充電器は、第１の携帯機器８Ａの内蔵電池９Ａを、外部入力電力と二次電池１のいずれか又は両方で充電すると共に、外部入力端子５にＡＣアダプタ１９の接続されない外部入力電力の非入力状態においては、二次電池１でもって、プラグコード６を介して第１の携帯機器８Ａの内蔵電池９Ａを充電する。
充電器は、外装ケース４０が、表面に沿って摺動できるスライド蓋４２を本体ケース４１に連結しており、このスライド蓋４２のオープン部４３に、プラグコード６の収納部４４を設けており、プラグコード６を収納部４４に配設する状態で、スライド蓋４２を閉じてプラグコード６をスライド蓋４２の内部に収納しており、スライド蓋４２は平面視において、外形を本体ケース４１と同じ形状の四角形であって、プラグコード６が収納部４４から引き出された状態でスライド蓋４２を閉じることができるように、プラグコード６を外部に引き出す引出部４６を、収納部４４の端面を切欠して設けている。
【発明を実施するための最良の形態】
【００２１】
以下、本発明の実施例を図面に基づいて説明する。ただし、以下に示す実施例は、本発明の技術思想を具体化するための充電器を例示するものであって、本発明は充電器を以下のものに特定しない。
【００２２】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
また、図２ないし図４は本発明の実施例に係る充電器を示すものではなく、参考例の充電器を示している。
【００２３】
図１の回路図と、図２ないし図４の斜視図に示す充電器は、外装ケース２０と、この外装ケース２０に収納している二次電池１と、外装ケース２０に収納されて二次電池１を外部入力電力で充電する主充電回路２と、外装ケース２０に設けられて主充電回路２に外部入力電力を供給するＡＣアダプタ１９の外部入力端子５と、外装ケース２０から外部に引き出されるように連結されて内蔵電池９Ａを備える第１の携帯機器８Ａに脱着自在に接続されるプラグコード６と、このプラグコード６を介して外部入力電力と二次電池１とを切り換えて第１の携帯機器８Ａの内蔵電池９Ａを充電する第１の充電回路３と、外装ケース２０に設けているＵＳＢコネクタ７と、このＵＳＢコネクタ７を介して外部入力電力と二次電池１とを切り換えてＵＳＢコネクタ７に接続される第２の携帯機器８Ｂの内蔵電池９Ｂを充電する第２の充電回路４と、第１の充電回路３と第２の充電回路４を制御して、第１と第２の携帯機器８の内蔵電池９の充電状態をコントロールするコントロール回路１０とを備えている。
【００２４】
この充電器は、外部に接続される携帯機器８の内蔵電池９を、外部入力電力と二次電池１のいずれか又は両方で充電すると共に、外部入力端子５にＡＣアダプタ１９が接続されない外部入力電力の非入力状態においては、内蔵している二次電池１でもって、プラグコード６を介して第１の携帯機器８Ａの内蔵電池９Ａを充電し、さらに、ＵＳＢコネクタ７を介して第２の携帯機器８Ｂの内蔵電池９Ａを充電する。
【００２５】
図３に示す充電器の外装ケース２０は、プラグコード６を脱着自在に定位置に嵌着できる嵌着凹部２１、２２を背面に設けている。これらの図に示す外装ケース２０は、全体の形状を所定の厚さの四角形として、外周面に溝形状であるコード６Ａの嵌着凹部２１を、底面にプラグ６Ｂの嵌着凹部２２を設けている。さらに、外装ケース２０の底面には、プラグ６Ｂにコード６Ａを連結するコードブッシュ６Ｃの両側に凹部２３を設けている。この外装ケース２０は、両側の凹部２３に指を入れてコードブッシュ６Ｃを掴み、嵌着凹部２２に嵌着しているプラグ６Ｂを簡単に外すことができる。
【００２６】
図５ないし図７の外装ケース４０は、表面に沿って摺動できるスライド蓋４２を本体ケース４１に連結している。スライド蓋４２は、外形を本体ケース４１と同じ外形の四角形として、長手方向に摺動できるように、本体ケース４１に連結している。スライド蓋４２を本体ケース４１に対して長手方向にずらせると、本体ケース４１の底面にオープン部４３ができる。このオープン部４３に、プラグコード６の収納部４４を設けて、この収納部４４にプラグコード６を収納している。図に示す本体ケース４１は、プラグコード６を定位置に保持する保持リブ４５を、収納部４４の内側に突出して設けている。この外装ケース４０は、収納部４４に収納されるプラグコード６を、保持リブ４５で位置決めしながら定位置に保持できる。この外装ケース４０は、スライド蓋４２を閉じてプラグコード６をスライド蓋４２の内部に収納し、スライド蓋４２を開いてプラグコード６を収納部４４から取り出して、第１の携帯機器８Ａに接続する。さらに、図の外装ケース４０は、プラグコード６を収納部４４から引き出した状態でスライド蓋４２を閉じることができるように、プラグコード６を外部に引き出す引出部４６を、収納部４４の端面を切欠して設けている。
【００２７】
さらに、外装ケース２０、４０は、その周囲に外部入力端子５とＵＳＢコネクタ７を設け、さらに、その表面には検査スイッチ１４の押しボタン１４Ａと操作スイッチ１５の押しボタン１５Ａとを設けている。さらに、図の外装ケース２０、４０は、外部にパイロットランプ１６を設けている。このパイロットランプ１６は、外部に接続する携帯機器８の充電状態を示し、あるいは二次電池１の残容量を表示する。
【００２８】
外装ケース２０、４０にはプラグコード６を連結しており、このプラグコード６の先端に連結しているプラグ６Ｂは、外部入力端子５に接続されるプラグ１９Ｂと同じ形状としている。外部入力端子５にはＡＣアダプタ１９が接続されるが、このＡＣアダプタ１９のプラグ１９Ｂは、第１の携帯機器８Ａに接続され、あるいは充電器の外部入力端子５に接続される。
【００２９】
二次電池１は、リチウムイオン電池である。ただし、二次電池１にはリチウムイオン電池に代わって、ニッケル水素電池やニッケルカドミウム電池などの充電できる全ての電池とすることができる。二次電池１は、第１の携帯機器８Ａの内蔵電池９Ａを満充電できる容量よりも大きい容量の電池であって、携帯機器８の内蔵電池９を１回以上満充電できる容量とする。
【００３０】
主充電回路２は、外部入力端子５に接続されるＡＣアダプタ１９から入力される外部入力電力でもって二次電池１を充電する。二次電池１をリチウムイオン電池とする充電器は、主充電回路２を定電圧定電流回路として二次電池１を充電する。主充電回路２は、二次電池１の満充電を検出して二次電池１の充電を終了する。この主充電回路２は、コントロール回路１０の切換回路１１に制御されて、二次電池１を充電する。コントロール回路１０の切換回路１１は、外部入力端子５にＡＣアダプタ１９が接続される状態であって、外部に携帯機器８の接続されない状態、あるいは接続される携帯機器８の内蔵電池９が満充電された状態で、主充電回路２を動作状態として二次電池１を充電する。
【００３１】
第１の充電回路３は、プラグコード６を接続する第１の携帯機器８Ａの内蔵電池９Ａを充電する電圧、電流に出力電圧、出力電流を調整する電圧電流調整回路である。電圧電流調整回路は、ＤＣ／ＤＣコンバータで、外部入力電力と二次電池１の電圧を、第１の携帯機器８Ａの内蔵電池９Ａを充電できる電圧に調整して出力する。この第１の充電回路３も、コントロール回路１０の切換回路１１に制御されて、第１の携帯機器８Ａの内蔵電池９Ａを充電する。コントロール回路１０の切換回路１１は、プラグコード６が第１の携帯機器８Ａに接続される状態で、外部入力電力と二次電池１に切り換えて第１の携帯機器８Ａの内蔵電池９Ａを充電するように、第１の充電回路３を制御する。コントロール回路１０の切換回路１１は、外部入力端子５にＡＣアダプタ１９が接続される状態では、二次電池１に優先して、すなわち二次電池１で充電することなく、外部入力電力で第１の携帯機器８Ａの内蔵電池９Ａを充電する。外部入力端子５にＡＣアダプタ１９が接続されない状態では、二次電池１で第１の携帯機器８Ａの内蔵電池９Ａを充電する。なお、コントロール回路１０の切換回路１１は、外部入力端子５にＡＣアダプタ１９が接続される状態で、二次電池１が所定容量以下の場合、第１の携帯機器８Ａの内蔵電池９Ａよりも優先して、二次電池１を充電することもできる。さらには、コントロール回路１０の切換回路１１は、外部入力端子５にＡＣアダプタ１９が接続される状態で、二次電池１を充電しながら、第１の携帯機器８Ａの内蔵電池９Ａも充電するように、切り換えることもできる。
【００３２】
第２の充電回路４は、ＵＳＢコネクタ７に接続される第２の携帯機器８Ｂの内蔵電池９Ｂを充電する電圧、電流に出力電圧、出力電流を調整する電圧電流調整回路である。電圧電流調整回路は、ＤＣ／ＤＣコンバータで、外部入力電力と二次電池１の電圧を、第２の携帯機器８Ｂの内蔵電池９Ｂを充電できる電圧に調整して出力する。この第２の充電回路４も、コントロール回路１０の切換回路１１に制御されて、第２の携帯機器８Ｂの内蔵電池９Ｂを充電する。コントロール回路１０の切換回路１１は、ＵＳＢコネクタ７に第２の携帯機器８Ｂが接続される状態で、外部入力電力と二次電池１に切り換えて第２の携帯機器８Ｂの内蔵電池９Ｂを充電するように、第２の充電回路４を制御する。コントロール回路１０の切換回路１１は、外部入力端子５にＡＣアダプタ１９が接続される状態では、二次電池１に優先して、すなわち二次電池１で充電することなく、外部入力電力で第２の携帯機器８Ｂの内蔵電池９を充電する。外部入力端子５にＡＣアダプタ１９が接続されない状態では、二次電池１で第２の携帯機器８Ｂの内蔵電池９Ｂを充電する。
【００３３】
コントロール回路１０は、切換回路１１と残容量検出回路１２と接続検出回路１３とを備える。切換回路１１は、主充電回路２と、第１の充電回路３と、第２の充電回路４を切り換えて、二次電池１と、第１の携帯機器８Ａの内蔵電池９Ａと、第２の携帯機器８Ｂの内蔵電池９Ｂの充電を制御する。切換回路１１は、外部入力端子５にＡＣアダプタ１９が接続される状態で、二次電池１と、第１の携帯機器８Ａの内蔵電池９Ａと、第２の携帯機器８Ｂの内蔵電池９Ｂを切り換えて充電する。
【００３４】
残容量検出回路１２は、二次電池１の残容量を検出して切換回路１１を制御する。残容量検出回路１２は、二次電池１を充放電する電流を積算して残容量を演算し、また、電圧を検出して残容量を検出することができる。残容量検出回路１２は、二次電池１の残容量が最低容量よりも小さくなると、二次電池１の放電を停止するように、切換回路１１を制御する。すなわち、切換回路１１が第１の充電回路３と第２の充電回路４を非動作状態として、二次電池１の放電を停止する。図１の残容量検出回路１２は、残容量の検査スイッチ１４を備える。残容量検出回路１２は、検査スイッチ１４が押されると、二次電池１の残容量をパイロットランプ１６の点滅や色で表示する。
【００３５】
接続検出回路１３は、プラグコード６の第１の携帯機器８Ａへの接続の有無を検出する。接続検出回路１３は、第１の携帯機器８Ａの接続を、プラグコード６のアースライン６Ａｃとマイナス端子６Ｂｂとの接続状態で判定する。プラグコード６は、プラス端子６Ｂａと、マイナス端子６Ｂｂと、アース端子６Ｂｃの３端子で第１の携帯機器８Ａに接続される。第１の携帯機器８Ａは、プラグコード６に接続されるコネクタ１８でマイナス端子１８ｂとアース端子１８ｃとを短絡している。したがって、プラグコード６が第１の携帯機器８Ａに接続されると、マイナス端子６Ｂｂとアース端子６Ｂｃとが短絡されるので、接続検出回路１３はマイナス端子６Ｂｂとアース端子６Ｂｃとの短絡を検出して、第１の携帯機器８Ａが接続されたことを判定する。
【００３６】
さらに、図１においては、接続検出回路１３は、以下に記載するように、操作スイッチ１５を利用することで、プラグコード６に第１の携帯機器８Ａが接続されたかどうかを判定することもできる。図１に示すコントロール回路１０は、第１の充電回路３と第２の充電回路４の動作状態を外部から制御する信号を接続検出回路１３に入力する操作スイッチ１５を設けている。この接続検出回路１３は、操作スイッチ１５から入力される信号（トリガー信号）で、プラグコード６に第１の携帯機器８Ａが接続されたかどうかを判定する。コントロール回路１０は、待機状態ではスリープ状態にあって電力消費を最小限としている。操作スイッチ１５から信号（トリガー信号）が入力されると動作状態になって、接続検出回路１３でもって、マイナス端子６Ｂｂとアース端子６Ｂｃとの短絡を検出して、第１の携帯機器８Ａが接続されたかどうかを判定する。
【００３７】
さらに、接続検出回路１３は、プラグコード６に第１の携帯機器８Ａが接続されたかどうかを判定して切換回路１１を制御する。接続検出回路１３は、操作スイッチ１５から入力される信号で、プラグコード６に第１の携帯機器８Ａが接続されたことを検出すると、第１の充電回路３を動作状態として、第１の携帯機器８Ａの内蔵電池９Ａを充電する。切換回路１１は、プラグコード６に第１の携帯機器８Ａが接続されないことを検出した場合、あるいは第１の携帯機器８Ａの内蔵電池９Ａが満充電されたことを検出した場合に、第２の充電回路４を動作状態とする。第２の携帯機器８Ｂの内蔵電池９Ｂを充電するためである。
【００３８】
さらに、接続検出回路１３は、上述のように、操作スイッチ１５から入力される信号（トリガー信号）で、プラグコード６に第１の携帯機器８Ａが接続されたかどうかを判定して、切換回路１１を制御することに代わって、以下のように制御することもできる。この接続検出回路１３は、操作スイッチ１５から入力される信号（トリガー信号）で、ＵＳＢコネクタ７に第２の携帯機器８ＢであるＵＳＢ接続機器が接続されたかどうかを判定して切換回路１１を制御する。コントロール回路１０は、待機状態ではスリープ状態にあって電力消費を最小限としている。操作スイッチ１５から信号（トリガー信号）が入力されると動作状態になって、接続検出回路１３でもって、ＵＳＢコネクタ７の電圧を検出して、ＵＳＢ接続機器が接続されたかどうかを判定する。動作状態にある接続検出回路１３は、たとえば、ＵＳＢコネクタ７に、第２の携帯機器８Ｂの内蔵電池９Ｂの電圧範囲よりも大きい電圧、または小さい電圧を出力して、第２の携帯機器８Ｂの接続を検出できる。また、このような第２の携帯機器８Ｂの接続は、電流の有無を測定することで、接続されたかどうかを検出することもできる。第２の携帯機器８Ｂが接続されるＵＳＢコネクタ７の電圧が内蔵電池９Ｂの電圧となるからである。接続検出回路１３は、操作スイッチ１５から入力される信号（トリガー信号）で、ＵＳＢコネクタ７にＵＳＢ接続機器が接続されたことを検出すると、第２の充電回路４を動作状態として、第２の携帯機器８Ｂの内蔵電池９Ｂを充電する。ただし、切換回路１１は、第１の携帯機器８Ａが接続されないことを検出し、あるいは第１の携帯機器８Ａの内蔵電池９Ａが満充電されたことを検出して、第２の充電回路４を動作状態とする。第１の携帯機器８Ａの内蔵電池９Ａを、第２の携帯機器８Ｂの内蔵電池９Ｂに優先して充電するためである。
【００３９】
以上のコントロール回路１０は、以下の動作で切換回路１１を制御して、二次電池１と、第１の携帯機器８Ａの内蔵電池９Ａと、第２の携帯機器８Ｂの内蔵電池９Ｂを充電する。
【００４０】
［外部入力端子５にＡＣアダプタ１９が接続される状態］
（１）第１と第２の携帯機器８が接続されない状態
この状態で、切換回路１１は、主充電回路２を動作状態として二次電池１を充電し、二次電池１が満充電されると充電を終了する。この状態で、切換回路１１は、第１の充電回路３と第２の充電回路４を非動作状態とする。
（２）第１の携帯機器８Ａが接続されて第２の携帯機器８Ｂが接続されない状態
この状態では、切換回路１１は、第１の充電回路３を動作状態として、二次電池１に優先して、第１の携帯機器８Ａの内蔵電池９Ａを充電する。第１の携帯機器８Ａの内蔵電池９Ａを満充電した後、第１の充電回路３を非動作状態として、主充電回路２を動作状態として二次電池１を満充電するまで充電する。第２の充電回路４は、常に非動作状態に保持される。
（３）第２の携帯機器８Ｂが接続されて第１の携帯機器８Ａが接続されない状態
この状態では、切換回路１１は、第２の充電回路４を動作状態として、第２の携帯機器８Ｂの内蔵電池９Ｂを充電する。第２の携帯機器８Ｂの内蔵電池９Ｂを満充電した後、第２の充電回路４を非動作状態として、主充電回路２を動作状態として二次電池１を満充電するまで充電する。第１の充電回路３は、常に非動作状態に保持される。
（４）第１の携帯機器８Ａと第２の携帯機器８Ｂが接続される状態
この状態では、切換回路１１は、二次電池１と第２の携帯機器８Ｂの内蔵電池９Ｂに優先して、第１の充電回路３を動作状態として、第１の携帯機器８Ａの内蔵電池９Ａを充電する。この状態で、主充電回路２と第２の充電回路４は非動作状態にある。第１の携帯機器８Ａの内蔵電池９Ａを満充電した後、第２の充電回路４を動作状態として、第２の携帯機器８Ｂの内蔵電池９Ｂを満充電し、この内蔵電池９が満充電されると、主充電回路２を動作状態として二次電池１を満充電するまで充電する。
【００４１】
［外部入力端子５にＡＣアダプタ１９が接続されない状態］
（１）第１の携帯機器８Ａが接続されて第２の携帯機器８Ｂが接続されない状態
この状態では、切換回路１１は、主充電回路２と第２の充電回路４を非動作状態として、第１の充電回路３を動作状態とし、第１の携帯機器８Ａの内蔵電池９Ａを二次電池１から出力される電力で充電する。二次電池１を放電して第１の携帯機器８Ａの内蔵電池９Ａを充電するので、コントロール回路１０は、残容量検出回路１２で二次電池１の残容量を検出しながら、第１の充電回路３を動作状態として内蔵電池９Ａを充電する。二次電池１の残容量が最低容量になると、コントロール回路１０は、第１の充電回路３も非動作状態として内蔵電池９Ａの充電を中断する。
（２）第２の携帯機器８Ｂが接続されて第１の携帯機器８Ａが接続されない状態
この状態では、切換回路１１は、主充電回路２と第１の充電回路３を非動作状態として、第２の充電回路４を動作状態とし、第２の携帯機器８Ｂの内蔵電池９Ｂを二次電池１から出力される電力で充電する。二次電池１を放電して第２の携帯機器８Ｂの内蔵電池９Ｂを充電するので、コントロール回路１０は、残容量検出回路１２で二次電池１の残容量を検出しながら、第２の充電回路４を動作状態として内蔵電池９Ｂを充電する。二次電池１の残容量が最低容量になると、コントロール回路１０は、第２の充電回路４も非動作状態として内蔵電池９Ｂの充電を中断する。
（３）第１の携帯機器８Ａと第２の携帯機器８Ｂが接続される状態
この状態では、切換回路１１は、主充電回路２と第２の充電回路４を非動作状態として、第２の携帯機器８Ｂの内蔵電池９Ｂに優先して、第１の携帯機器８Ａの内蔵電池９Ａを充電する。第１の携帯機器８Ａの内蔵電池９Ａを満充電した後、第１の充電回路３を非動作状態とし、第２の充電回路４を動作状態に切り換えて、第２の携帯機器８Ｂの内蔵電池９Ｂを満充電する。この充電状態においても、二次電池１を放電して第１と第２の携帯機器８の内蔵電池９を充電するので、コントロール回路１０は、残容量検出回路１２で二次電池１の残容量を検出しながら、第１の充電回路３又は第２の充電回路４を動作状態として内蔵電池９を充電する。二次電池１の残容量が最低容量になると、コントロール回路１０は、第１の充電回路３又は第２の充電回路４を非動作状態として内蔵電池９の充電を中断する。
【図面の簡単な説明】
【００４２】
【図１】本発明の一実施例にかかる充電器の回路図である。
【図２】本発明の参考例にかかる充電器の斜視図である。
【図３】図２に示す充電器の底面斜視図である。
【図４】図２に示す充電器の使用状態を示す斜視図である。
【図５】本発明の実施例にかかる充電器の斜視図である。
【図６】図５に示す充電器のプラグコードの収納部を背面から見た底面斜視図である。
【図７】図５に示す充電器からのプラグコードを引き出した状態を示す底面斜視図である。
【符号の説明】
【００４３】
１…二次電池
２…主充電回路
３…第１の充電回路
４…第２の充電回路
５…外部入力端子
６…プラグコード                ６Ａ…コード
６Ａｃ…アースライン
６Ｂ…プラグ
６Ｂａ…プラス端子
６Ｂｂ…マイナス端子
６Ｂｃ…アース端子
６Ｃ…コードブッシュ
７…ＵＳＢコネクタ
８…携帯機器                    ８Ａ…第１の携帯機器
８Ｂ…第２の携帯機器
９…内蔵電池                    ９Ａ…内蔵電池
９Ｂ…内蔵電池
１０…コントロール回路
１１…切換回路
１２…残容量検出回路
１３…接続検出回路
１４…検査スイッチ              １４Ａ…押しボタン
１５…操作スイッチ              １５Ａ…押しボタン
１６…パイロットランプ
１８…コネクタ                  １８ａ…プラス端子
１８ｂ…マイナス端子
１８ｃ…アース端子
１９…ＡＣアダプタ              １９Ｂ…プラグ
２０…外装ケース
２１…嵌着凹部
２２…嵌着凹部
２３…凹部
４０…外装ケース
４１…本体ケース
４２…スライド蓋
４３…オープン部
４４…収納部
４５…保持リブ
４６…引出部
【図１】
0005339760.tif 000002
【図２】
0005339760.tif 000003
【図３】
0005339760.tif 000004
【図４】
0005339760.tif 000005
【図５】
0005339760.tif 000006
【図６】
0005339760.tif 000007
【図７】
0005339760.tif 000008